(57)【要約】【課題】      簡易な操作により通信相手に対してメッセージを送信可能な通信端末装置及びメッセージ送信方法を提供すること。【解決手段】  本発明に係るサーバ装置は、受信側通信端末装置への音声メッセージの送信を要求する旨の要求信号を、送信側通信端末装置から制御チャネルを介して受信する受信手段と、該受信手段により前記要求信号が受信されたことに応じて、該送信側通信端末装置との間で音声チャネルを確立する確立手段と、該確立手段により確立された音声チャネルを介して前記送信側通信端末装置から音声メッセージを取得する取得手段と、該取得手段により取得された音声メッセージを用いて音声ファイルを生成する生成手段と、該生成手段により生成された音声ファイルを添付したメールを、前記受信側通信端末装置に対して通信回線を介して送信する送信手段と、を具備する。【選択図】    図２
2007006301.tif 000002
【特許請求の範囲】
【請求項１】
受信側通信端末装置への音声メッセージの送信を要求する旨の要求信号を、送信側通信端末装置から制御チャネルを介して受信する受信手段と、
該受信手段により前記要求信号が受信されたことに応じて、該送信側通信端末装置との間で音声チャネルを確立する確立手段と、
該確立手段により確立された音声チャネルを介して前記送信側通信端末装置から音声メッセージを取得する取得手段と、
該取得手段により取得された音声メッセージを用いて音声ファイルを生成する生成手段と、
該生成手段により生成された音声ファイルを添付したメールを、前記受信側通信端末装置に対して通信回線を介して送信する送信手段と、
を具備することを特徴とするサーバ装置。
【請求項２】
前記受信手段は、前記送信側通信端末装置から要求信号としてショートメールを受信することを特徴とする請求項１に記載のサーバ装置。
【請求項３】
前記受信手段は、前記送信側通信端末装置から要求信号として発呼信号を受信することを特徴とする請求項１に記載のサーバ装置。
【請求項４】
受信側通信端末装置への音声メッセージの送信を要求する旨の要求信号を、制御チャネルを介して送信する送信手段と、
前記要求信号を受信したサーバ装置からの要求に応じて、該サーバ装置との間で音声チャネルを確立し、該音声チャネルを介して、前記受信側通信端末装置への音声メッセージを前記サーバ装置に対して送信する音声メッセージ送信手段と、を具備し、
前記音声メッセージは、前記サーバ装置により、音声ファイルに変換され、前記受信側通信端末装置へのメールの添付ファイルとされる、
ことを特徴とする通信端末装置。
【請求項５】
前記送信手段は、要求信号としてショートメールを送信することを特徴とする請求項４に記載の通信端末装置。
【請求項６】
前記送信手段は、要求信号として発呼信号を送信することを特徴とする請求項４に記載の通信端末装置。
【発明の詳細な説明】
【技術分野】
【０００１】
本発明は、携帯電話機等の通信端末装置を用いて通信相手に対してメッセージを送信する技術に関する。
【背景技術】
【０００２】
現在、通信相手に対してメッセージを送信するための技術として、携帯電話機を用いた電子メールシステムが利用されている。この電子メールシステムでは、利用者は、携帯電話機に設けられたボタン等を操作して、通信相手に伝えようとするメッセージや通信相手の電子メールアドレス等を携帯電話機に入力することにより、携帯電話機は、入力されたメッセージを含む電子メールを、この通信相手の電子メールアドレス宛てに送信する。これにより、利用者は、通信相手に対して伝えたいメッセージを送信することができる。
このような電子メールシステムに関する技術としては、以下の文献に記載された技術が存在する。
【０００３】
【特許文献１】特開２００４−１５９１８０号公報
【発明の開示】
【発明が解決しようとする課題】
【０００４】
しかしながら、上記電子メールシステムでは、携帯電話機等の利用者は、通信相手に伝えようとするメッセージを、携帯電話機に設けられたボタン等を操作して一文字ずつ携帯電話機に入力する必要がある。また、現在普及している多くの携帯電話機は、小型化が必要とされていることに起因して、２０個程度のボタンしか備えていない。よって、利用者は、通信相手に伝えようとするメッセージの量が多い場合には、このメッセージをすべて携帯電話機に入力するのに時間及び手間がかかることになる。
【０００５】
本発明は、かかる問題点に鑑みてなされたものであり、簡易な操作により通信相手に対してメッセージを送信可能な通信端末装置及びメッセージ送信方法を提供することを目的とする。
【課題を解決するための手段】
【０００６】
本発明者は、まず、通信相手に伝えようとするメッセージのすべてを、ボタン操作により携帯電話機に一文字ずつ入力することは、時間及び手間を要するだけでなく、誤った文字を入力することにつながり易いという点に鑑み、通信相手に伝えようとするメッセージを、文字としてではなく音声として通信相手に送信することに着目した。すなわち、本発明者は、利用者が、携帯電話機を用いて、留守番電話サービスセンタ等のサーバ装置に発呼して音声チャネルを確立した状態で、通信相手に伝えようとするメッセージを携帯電話機に向かって発声することにより音声信号としてサーバ装置に送信し、このサーバ装置が、受信した音声信号を音声ファイルとして添付した電子メールを、通信相手に送信する、という方法に着目した。
【０００７】
ところが、この方法を用いたときには、利用者は、サーバ装置に対して、音声信号を送信するための音声チャネルを確立すべく利用者の側から発呼をするので、この音声チャネルが確立されている間の通信料金を負担しなくてはならない。この結果、通信相手に対して送信しようとするメッセージがある程度多い場合には、利用者は、そのメッセージをすべて発声し終えるのにある程度の時間を必要とするので、そのメッセージを単に電子メールを用いて文字により通信相手に送信する従来技術に比べて、より多くの通信料金を負担しなければならなくなる。
【０００８】
さらには、この方法を用いたときには、利用者が、誤操作に起因して、サーバ装置に付与された電話番号ではなく誤った電話番号を用いて発呼を行うことにより、利用者の携帯電話機は、この誤った電話番号の所有者である第三者のためにメッセージを保存する他のサーバ装置との間で、音声チャネルを確立する可能性がある。この場合には、この利用者により音声チャネルを介して送信された音声信号は、利用者の意図する通信相手ではなく第三者に送信されることとなる。よって、この方法を用いたときには、音声メッセージの送信に関する安全性及び確実性を高めるために、何らかの措置を別途講ずる必要がある。
【０００９】
そこで、本発明者は、これらの問題点に鑑み、まず、携帯電話機の利用者が、音声信号を送信するための音声チャネルを確立すべく、サーバ装置からの発呼を要求する旨の要求信号を、制御チャネルを介してサーバ装置に対して送信した後、要求信号を受信したサーバ装置が、この利用者の携帯電話機に対して発呼をすることにより、サーバ装置と携帯電話機との間に、音声信号を送信するための音声チャネルを確立する、という方法を見い出し、本発明をするに至った。すなわち、本発明の骨子は、送信側通信端末装置が、サーバ装置からの発呼を要求する旨の要求信号を、制御チャネルを介してサーバ装置に対して送信し、この要求信号を受信したサーバ装置が、送信側通信端末装置に対して発呼することにより、送信側通信端末装置とサーバ装置との間に音声チャネルを確立し、サーバ装置が、この音声チャネルを介して送信側通信端末装置から受信した音声信号を電子メールに添付し、この電子メールを受信側通信端末装置に対して送信すること、である。
【００１０】
本発明によれば、音声信号を送信するための音声チャネルを確立すべく発呼をする主体は、携帯電話機ではなくサーバ装置であるので、携帯電話機の利用者は、音声信号を送信するための音声チャネルが確立されている間の通信料金を負担する必要がない。これにより、利用者は、通信相手に対して送信しようとするメッセージがある程度多い場合であっても、制御チャネルを介した要求信号の送信について通信料金を負担するのみであるので、そのメッセージを単に電子メールを用いて文字により通信相手に送信する従来技術に比べて、さらに通信料金を抑えつつメッセージを送信することができる。
【００１１】
さらに、本発明によれば、利用者は、自己の携帯電話機により送信された要求信号を実際に受信したサーバ装置からの発呼に基づいて、自己の携帯電話機とサーバ装置との間に音声チャネルを確立し、この音声チャネルを介して音声信号を送信する。これにより、利用者は、自己の意図したサーバ装置との間でのみ確実に音声チャネルを確立することができるので、結果として、自己の意図した通信相手のみに対して、確実に音声信号を送信することができる。
【発明の効果】
【００１２】
本発明によれば、通信相手に送信しようとするメッセージの量に関係なく、必要となる通信料金を抑えかつ簡易な操作により、通信相手に対して確実にそのメッセージを送信することができる。
【発明を実施するための最良の形態】
【００１３】
（実施の形態１）
本実施の形態では、音声メッセージの送信を行う送信側通信端末装置が、サーバ装置（メッセージ通信装置）からの発呼を要求する旨の要求信号として、制御チャネルを介して送信するショートメールを用いる場合について説明する。
図１は、本発明の実施の形態１に係るメッセージ通信装置及び送信側移動機を含む通信システムの構成を示すブロック図である。
【００１４】
図１において、本実施の形態に係るメッセージ通信装置１３０は、交換機（図１では一例として交換機１２０のみが示されている）や基地局等を含む移動通信網１１０に接続されている。また、このメッセージ通信装置１３０は、ルータ、ゲートウェイや電子メールサーバ（図１では一例として電子メールサーバ１５０のみが示されている）等を含むインターネット網１４０に接続されている。
【００１５】
この構成によれば、メッセージ通信装置１３０は、移動通信網１１０を介して、携帯電話機等を含む移動機との間において、無線通信を行うことができる。具体的には、メッセージ通信装置１３０は、移動通信網１１０に接続された移動機との間において、音声チャネルを介して音声信号の送受信を行うことができ、制御チャネルを介してショートメールの送受信を行うことができる。なお、図１においては、移動通信網１１０には、簡略化のために、移動機として送信側移動機１００のみが示されている。
【００１６】
また、この構成によれば、メッセージ通信装置１３０は、インターネット網１４０を介して、携帯電話機、ＰＨＳ（Personal Handyphone System）、ＰＤＡ（Personal Digital Assistant）やパーソナルコンピュータ等を含む通信端末装置との間において、電子メールの送受信を行うことができる。具体的には、メッセージ通信装置１３０は、インターネット網１４０に接続された通信端末装置に送信すべき電子メールを電子メールサーバ１５０に送信し、電子メールサーバ１５０がこの電子メールを保有する。この後、通信端末装置は、電子メールサーバ１５０から電子メールを取得することができる。なお、図１においては、インターネット網１４０には、簡略化のために、通信端末装置として受信側移動機１６０のみが示されている。
【００１７】
以上のような構成を有する通信システムでは、まず、受信側移動機１６０に対して音声メッセージを送信しようとする送信側移動機１００は、受信側移動機１６０に対して音声メッセージの送信を要求する旨のショートメールを、メッセージ通信装置１３０に対して送信する。別言すれば、送信側移動機１００は、受信側移動機１６０への音声メッセージをメッセージ通信装置１３０に送信するための音声チャネルを確立すべく、メッセージ通信装置１３０からの発呼を要求する旨のショートメールを、メッセージ通信装置１３０に対して送信する。このショートメールには、音声メッセージの受信者として受信側移動機１６０を指定すべく、受信側移動機１６０の電子メールアドレスが含まれている。以下、このショートメールを「要求ショートメール」と称する。
【００１８】
次に、送信側移動機１００から要求ショートメールを受信したメッセージ通信装置１３０は、送信側移動機１００に対して発呼することにより、送信側移動機１００との間で音声チャネルを確立する。この後、送信側移動機１００が、この音声チャネルを介して、メッセージ通信装置１３０に対して音声信号を送信する。
【００１９】
次に、メッセージ通信装置１３０は、送信側移動機１００から受信した音声信号を音声ファイルに変換し、この音声ファイルを添付した電子メールを作成する。この電子メールには、宛先として受信側移動機１６０の電子メールアドレスが指定されている。この受信側移動機１６０の電子メールアドレスは、上述したように、送信側移動機１００からメッセージ通信装置１３０に送信された要求ショートメールに含まれていた電子メールアドレスである。
【００２０】
この後、メッセージ通信装置１３０は、このように作成した電子メールをインターネット網１４０に対して送信することにより、この電子メールは、電子メールサーバ１５０に格納される。受信側移動機１６０は、インターネット網１４０を介して電子メールサーバ１５０からこの電子メールを取得する。この結果、受信側移動機１６０は、取得した電子メールに添付された音声ファイルを再生すること、すなわち、送信側移動機１００からメッセージ通信装置１３０に送信された音声信号を再生することができる。
このように、本実施の形態によれば、送信側移動機１００は、簡易な操作により、受信側移動機１６０に対してメッセージを送信することができる。
【００２１】
＜メッセージ通信装置１３０の構成＞
次に、本実施の形態に係る通信システムを実現するために必要なメッセージ通信装置１３０の構成について、図２を参照して説明する。図２は、本発明の実施の形態１に係るメッセージ通信装置１３０の構成を示すブロック図である。なお、図２において、図１で示したものと同様の構成要素に対しては、図１におけるものと同一の符号が付されている。
【００２２】
メッセージ通信装置１３０は、移動通信網１１０を介して送信側移動機１００との間で通信を行う移動機通信部２００と、インターネット網１４０を介して受信側移動機１６０に対して電子メールを送信する外部通信部２４０と、送信側移動機１００から受信した要求ショートメールを処理するショートメール処理部２１０と、移動機通信部２００により受信された送信側移動機１００からの音声メッセージを処理する音声信号処理部２２０と、受信側移動機１６０に対して送信すべき電子メールを用意する電子メール処理部２３０と、を含む。
【００２３】
具体的には、移動機通信部２００は、送信側移動機１００との間で音声チャネルを確立するために用いる制御チャネルを介して、送信側移動機１００から要求ショートメールを受信し、受信した要求ショートメールをショートメール処理部２１０に出力する。この移動機通信部２００は、制御チャネルを介して送信側移動機１００に発呼信号を送信することにより、送信側移動機１００との間で音声チャネルを確立する。この発呼信号には、後述するショートメール処理部２１０のショートメール解析部２１１から取得した送信側移動機１００の電話番号が含まれる。さらに、移動機通信部２００は、送信側移動機１００との間で確立した音声チャネルを介してこの送信側移動機１００との間で音声信号の送受信を行い、受信した音声信号を音声信号処理部２２０に出力し、音声信号処理部２２０から取得した音声信号を、音声チャネルを介して送信側移動機１００に送信する。
【００２４】
ショートメール処理部２１０は、ショートメール解析部２１１と、メールアドレス記憶部２１２とを有する。ショートメール解析部２１１は、移動機通信部２００からの要求ショートメールを解析することにより、送信側移動機１００の電話番号と音声メッセージの受信者である受信側移動機１６０のメールアドレスとを抽出する。このショートメール解析部２１１は、抽出した受信側移動機１６０のメールアドレスをメールアドレス記憶部２１２に出力し、抽出した送信側移動機１００の電話番号を移動機通信部２００に出力する。メールアドレス記憶部２１２は、受信側移動機１６０のメールアドレスを、記憶するとともに電子メール処理部２３０に出力する。
【００２５】
音声信号処理部２２０は、音声信号保存部２２２と、音声ファイル生成部２２３とを有する。音声信号保存部２２２は、移動機通信部２００からの音声信号を、保存するとともに音声ファイル生成部２２３に出力する。音声ファイル生成部２２３は、音声信号保存部２２２からの音声信号を用いて、所定の形式（例えば、ＭＰ３、ＷＡＶＥやＳＭＡＦ等）の音声ファイルを生成し、生成した音声ファイルを電子メール処理部２３０に出力する。
【００２６】
電子メール処理部２３０は、電子メール作成部２３１と電子メール送信部２３２とを有する。電子メール作成部２３１は、ショートメール処理部２１０のメールアドレス記憶部２１２からの受信側移動機１６０のメールアドレス、音声信号処理部２２０の音声ファイル生成部２２３からの音声ファイルを用いて、電子メールデータを作成する。ここで作成される電子メールデータにおいて、受信者のメールアドレスとして受信側移動機１６０のメールアドレスが指定されるとともに、音声ファイル生成部２２３からの音声ファイルが添付ファイルとして添付される。なお、作成される電子メールデータにおいて、メール本文又はサブジェクトとして、「音声メッセージを受信しました」等のように、受信側移動機１６０に対して音声ファイルの受信を通知する文字データが記載されうる。
【００２７】
電子メール送信部２３２は、電子メール作成部２３１により作成された電子メールデータに対して所定の符号化を施し、符号化が施された電子メールデータを外部通信部２４０に出力する。
【００２８】
外部通信部２４０は、電子メール送信部２３２からの符号化が施された電子メールデータに対して変調処理や周波数変換処理等の所定の送信処理を施すことにより電子メールを作成し、作成した電子メールをインターネット網１４０に対して送信する。
【００２９】
＜送信側移動機１００の構成＞
次に、本実施の形態に係る通信システムを実現するために必要な送信側移動機１００の構成について、図３を参照して説明する。図３は、本発明の実施の形態１に係る送信側移動機１００の構成を示すブロック図である。なお、図３において、図１で示したものと同様の構成要素に対しては、図１におけるものと同一の符号が付されている。
【００３０】
送信側移動機１００は、移動通信網１１０を介してメッセージ通信装置１３０との間で通信を行う通信部３４０と、制御部３００の制御を受けて、メッセージ通信装置１３０に送信する要求ショートメールを用意するショートメール処理部３２０と、制御部３００の制御を受けて、メッセージ通信装置１３０との間での送受信の対象となる音声信号を処理する音声処理部３３０と、当該送信側移動機１００の操作者からの音声又は操作を入力する入力部３１０と、通信部３４０、ショートメール処理部３２０及び音声処理部３３０を制御する制御部３００と、を含む。
【００３１】
具体的には、入力部３１０は、操作入力部３１１と音声入力部３１２とを有する。操作入力部３１０は、当該送信側移動機１００の操作者によるボタン押圧操作を受け付け、受け付けた操作内容に応じた信号（操作信号）を制御部３００に出力する。音声入力部３１２は、当該送信側移動機１００の操作者により発せられた音声を入力して音声信号に変換し、この音声信号を音声処理部３３０に出力する。
【００３２】
制御部３００は、入力部３１０の操作入力部３１１からの操作信号に基づいて、音声処理部３３０及びショートメール処理部３２０を制御する。具体的には、制御部３００は、操作者が受信側移動機１６０に音声メッセージの送信をすべく要求ショートメールの送信を希望する旨の操作をした場合には、その操作信号を入力部３１０の操作入力部３１１より入力し、この操作信号に基づいて、ショートメール処理部３２０に対して要求ショートメールの作成を指示する。また、制御部３００は、通信部３４０によりメッセージ通信装置１３０との間で音声チャネルを介した音声信号の通信が実行される際には、メッセージ通信装置１３０から受信した音声信号を、通信部３４０を介して取得するように、音声処理部３３０を制御するとともに、入力部３１０の音声入力部３１２から受信した音声信号を、通信部３４０を介してメッセージ通信装置１３０に送信するように、音声処理部３３０を制御する。
【００３３】
ショートメール処理部３２０は、メールアドレス記憶部３２１とショートメール作成部３２２とを有する。メールアドレス記憶部３２１は、要求ショートメールの受信者（すなわちメッセージ通信装置１３０）を指定すべく用いられる電話番号（以下「特番」という。）を記憶する。この特番以外に、このメールアドレス記憶部３２１は、通信相手ごとの電話番号や電子メールアドレスを記憶することも可能である。このメールアドレス記憶部３２１は、記憶した特番（及び、音声メッセージの受信者を指定すべく用いられる電子メールアドレス等）を、ショートメール作成部３２２に出力する。
【００３４】
ショートメール作成部３２２は、メールアドレス記憶部３２１からの特番及び受信側移動機１６０の電子メールアドレスを用いて、要求ショートメールデータを作成する。ここで作成される要求ショートメールにおいて、この要求ショートメールの受信者の電話番号として特番（すなわちメッセージ通信部１３０の電話番号）が指定されるとともに、本文には、音声メッセージの受信者の電子メールアドレスとして受信側移動機１６０の電子メールアドレスが記載される。この後、ショートメール作成部３２２は、作成した要求ショートメールデータに対して所定の符号化を施し、符号化が施された要求ショートメールデータを通信部３４０に出力する。
【００３５】
通信部３４０は、ショートメール処理部３２０からの符号化された要求ショートメールデータに対して変調処理や周波数変換処理等の所定の送信処理を施すことにより、要求ショートメールを作成し、作成したショートメールを、メッセージ通信装置１３０との間で音声チャネルを確立するために用いる制御チャネルを介して、メッセージ通信装置１３０に対して送信する。
【００３６】
また、通信部３４０は、メッセージ通信装置１３０からの発呼を受けることによりメッセージ通信装置１３０との間で音声チャネル確立し、この音声チャネルを介してメッセージ通信装置１３０との間で通信（送受信）を行う。この通信において、通信部３４０は、音声チャネルを介してメッセージ通信装置１３０から受信した信号に対して、周波数変換や復調等の所定の受信処理を行うことにより、音声信号を抽出して音声処理部３３０に出力する。また、通信部３４０は、音声処理部３３０からの音声信号に対して、変調や周波数変換等の所定の送信処理を施すことにより、送信信号を作成して音声チャネルを介してメッセージ通信装置１３０に送信する。
【００３７】
音声処理部３３０は、音声信号処理部３３１と、送受信処理部３３２と、音声出力部３３３と、を有する。音声信号処理部３３１は、通信部３４０によりメッセージ通信装置１３０との間で音声チャネルを介した通信が実行されている際に、制御部３００の制御を受けて、入力部３１０の音声入力部３１２からの音声信号に対して符号化や圧縮等の所定の送信処理を施し、送信処理が施された音声信号を送受信処理部３３２に出力する。
【００３８】
送受信処理部３３２は、通信部３４０によりメッセージ通信装置１３０との間で音声チャネルを介した通信が実行されている際に、制御部３００の制御を受けて、音声信号処理部３３１からの音声信号を通信部３３２に出力する。また、送受信処理部３３２は、通信部３４０によりメッセージ通信装置１３０との間で音声チャネルを介した通信が実行されている際に、通信部３４０からの音声信号を受信して音声出力部３３３に出力する。音声出力部３３３は、送受信処理部３３２からの音声信号に対して復号化や伸張等の所定の受信処理を施し、受信処理が施された音声信号をスピーカ等から音声として出力する。
【００３９】
＜通信システムの動作＞
次に、上記構成を有するメッセージ通信装置１３０及び送信側移動機１００により行われる通信について、図１〜図３に加えて図４を参照して説明する。図４は、本発明の実施の形態１に係るメッセージ通信装置と送信側移動機との間で行われる通信の様子を示すシーケンス図である。なお、図４において、図１で示したものと同様の構成要素に対しては、図１におけるものと同一の符号が付されている。ここでは、送信側移動機１００が受信側移動機１６０に対して音声メッセージを送信する場合を例にとり説明する。
【００４０】
まず、図３において、受信側移動機１６０に対して音声メッセージの送信を希望する送信側移動機１００の操作者が、所定のボタン押圧操作を行うことにより、操作入力部３１１は、要求ショートメールの送信を希望する旨の操作信号を制御部３００に出力する。さらには、操作者が所定のボタン押圧操作を行うことにより、操作入力部３１１は、音声メッセージの受信者の電子メールアドレスとして受信側移動機１６０の電子メールアドレスを指定する旨の操作信号を、制御部３００に出力する。
【００４１】
これにより、制御部３００は、ショートメール処理部３２０に対して、要求ショートメールを作成する旨の制御信号を出力する。ショートメール処理部３２０において、メールアドレス記憶部３２１は、ショートメール作成部３２２に対して、特番及び受信側移動機１６０の電子メールアドレスを出力する。ショートメール作成部３２２は、要求ショートメールの受信者の電話番号として特番を指定し、要求ショートメールの送信者の電話番号として送信側移動機の電話番号を指定し、本文に音声メッセージの受信者の電子メールアドレスとして受信側移動機１６０の電子メールアドレスを記載した、要求ショートメールデータを作成する。なお、本実施の形態では、操作者が要求ショートメールを送信する際における利便性の観点から、メールアドレス記憶部３２１が特番を記憶しておき、ショートメール作成部３２２がメールアドレス記憶部３２１により記憶された特番を要求ショートメールの受信者の電話番号として指定する場合について説明しているが、メールアドレス記憶部３２１が特番を記憶しておくことは、要求ショートメールの送信のための必須要件ではない。すなわち、ショートメール作成部３２２は、操作入力部３１１を介して操作者により入力された特番を、要求ショートメールの受信者の電話番号として指定することにより、要求ショートメールデータを作成することもできる。
この要求ショートメールデータは、所定の符号化がなされた後に、ショートメール作成部３２２から通信部３４０に出力される。
【００４２】
通信部３４０は、ショートメール作成部３２２から要求ショートメールデータを受信すると、この要求ショートメールデータに対して所定の送信処理を施すことにより、要求ショートメールを作成する。この後、通信部３４０は、当該送信側移動機１００をカバーする交換機１２０との間で確立された制御チャネルを介して、図４のステップ（以下「ＳＴ」という。）４０１において、メッセージ通信装置１３０に対して要求ショートメールを送信する。送信側移動機１００により送信された要求ショートメールは、移動通信網１１０（すなわち、基地局、交換機１２０及び他の交換機）を経由して、メッセージ通信装置１３０により受信される。
【００４３】
図２に示すメッセージ通信装置１３０において、移動機通信部２００は、送信側移動機１００からの要求ショートメールをショートメール解析部２１１に出力する。ショートメール解析部２１１は、要求ショートメールを解析することにより、送信側移動機１００の電話番号と、音声メッセージの受信者として指定された受信側移動機１６０の電子メールアドレスと、を抽出する。この後、ショートメール解析部２１１は、抽出した受信側移動機１６０の電子メールアドレスをメールアドレス記憶部２１２に出力し、抽出した送信側移動機１００の電話番号を移動機通信部２００に出力する。メールアドレス記憶部２１２は、受信側移動機１６０の電子メールアドレスを、記憶するとともに電子メール作成部２３１に出力する。
【００４４】
移動機通信部２００は、送信側移動機１００と交換機１２０との間で確立されている制御チャネルを含む移動通信網１１０を経由して、送信側移動機１００に対して発呼信号（送信側移動機１００の電話番号を含む）を送信する（図４におけるＳＴ４０２）。
【００４５】
図３に示す送信側移動機１００において、通信部３４０は、発呼信号を受信すると、操作者に着呼操作を促す呼出音を、例えば音声出力部３３３に出力させる。この呼出音を聞いた操作者が、着呼操作をすべくボタンに対して押圧操作をすると、この押圧操作に対応する操作信号は、制御部３００に出力される。制御部３００は、操作者による着呼操作がなされた旨を示す信号を通信部に出力する。この信号を受けた通信部３４０は、制御チャネルを含む移動通信網１１０を介して、メッセージ通信装置１３０に対して応答信号を送信する（図４のＳＴ４０３）。
【００４６】
図２に示すメッセージ通信装置１３０において、送信側移動機１００により送信された応答信号は、移動機通信部２００により受信される。これにより、メッセージ通信装置１３０と送信側移動機１００との間に音声チャネル（音声通信回線）が確立される（図４のＳＴ４０４）。
【００４７】
音声チャネルが確立されると、移動機通信部２００は、送信側移動機１００の操作者に対して音声メッセージの入力を促す旨の音声ガイダンス（例えば「発信音の後に、お伝えしたいメッセージをお話しください」等）を、音声チャネルを介して、送信側移動機１００に送信する（図４のＳＴ４０５）。
【００４８】
図３に示す送信側移動機１００において、メッセージ通信装置１０３により送信された音声ガイダンスは、通信部３４０により受信された後、送受信処理部３３２を経由して、音声出力部３３３により出力される。この音声ガイダンスを聞いた操作者は、受信側移動機１６０に伝えたい音声メッセージを当該送信側移動機１００に対して発する。この音声メッセージは、音声入力部３１２により入力されて音声信号に変換され、この音声信号は、音声信号処理部３３１により所定の送信処理が施され、送受信処理部３３２を介して通信部３４０に出力される。通信部３４０は、送受信処理部３３２からの音声信号を、音声チャネルを介して、メッセージ通信装置１３０に送信する（図４のＳＴ４０６）。
【００４９】
図２に示すメッセージ通信装置１３０において、送信側移動機１００により送信された音声信号は、移動機通信部２００により受信される。移動機通信部２００は、受信した音声信号を音声信号保存部２２２に出力する。音声信号保存部２２２は、移動機通信部２００からの音声信号を保存する。
【００５０】
このような、送信側移動機１００の音声入力部３１２による音声メッセージの入力からメッセージ通信装置１３０の音声信号保存部２２２による音声信号の保存までの一連の処理がなされている状態において、図３に示す送信側移動機１００の操作者が、音声メッセージの入力を完了させた旨を示すべく所定のボタン押圧操作を行うと、操作入力部３１１は、音声メッセージの入力が完了した旨の操作信号を制御部３００に出力する。
【００５１】
この操作信号を受信した制御部３００は、音声メッセージの送信が完了した旨を示す完了信号をメッセージ通信装置１３０に送信するように、通信部３４０を制御する。この制御を受けた通信部３４０は、すべての音声信号の送信を完了した後に、制御チャネルを介して、完了信号をメッセージ通信装置１３０に送信する。
【００５２】
図２に示すメッセージ通信装置１３０において、送信側移動機１００により送信された完了信号は、制御チャネルを介して移動機通信部２００により受信される。完了信号を受信した移動機通信部２００は、送信側移動機との間に確立した音声チャネルを切断する（図４のＳＴ４０７）。
【００５３】
この後、音声信号保存部２２２は、保存した音声信号を音声ファイル生成部２２３に出力する。音声ファイル生成部２２３は、音声信号保存部２２２からの音声信号を用いて、所定の形式の音声ファイルを生成（図４のＳＴ４０８）して電子メール作成部２３１に出力する。
【００５４】
電子メール作成部２３１は、電子メールの受信者の電子メールアドレスとして受信側移動機１６０の電子メールアドレスを指定し、本文又はサブジェクトに「音声メッセージを受信しました」等のように音声ファイルの受信を通知する文字データを記載し、音声ファイル生成部２２３からの音声ファイルを添付ファイルとして添付した、電子メールデータを作成する（図４のＳＴ４０９）。なお、受信側移動機１６０の電子メールアドレスは、上述したように、メールアドレス記憶部２１２から電子メール作成部２３１に対して送られた電子メールアドレスである。
【００５５】
電子メール送信部２３２は、電子メール作成部２３１により作成された電子メールデータに対して所定の符号化を施し、所定の符号化がなされた電子メールデータを外部通信部２４０に出力する。
【００５６】
外部通信部２４０は、所定の符号化がなされた電子メールデータに対して所定の送信処理を施すことにより、電子メール（音声ファイルが添付された電子メール）を作成してインターネット網１４０を介して送信する（図４のＳＴ４１０）。このように送信された電子メールは、電子メールサーバ１５０（図１）に保存された後、この電子メールサーバ１５０にアクセスした受信側移動機１６０により受信されることとなる。
【００５７】
このような音声ファイルが添付された電子メールを受信した受信側移動機１６０は、添付された音声ファイルを再生することにより、受信側移動機１６０の操作者は、送信側移動機１００の操作者により入力された音声メッセージを聞くことができる。
【００５８】
以上説明したように、本実施の形態によれば、送信側移動機は、受信側移動機に送信しようとするメッセージを、文字としてではなく音声信号として受信側移動機に対して送信するので、送信側移動機の操作者は、送信しようとするメッセージの量とは無関係に、時間及び手間をかけることなく簡易な操作により、受信側移動機に対してメッセージを送信することができる。
【００５９】
また、本実施の形態によれば、音声信号を送信するための音声チャネルを確立すべく発呼をする主体は、送信側移動機ではなくメッセージ通信装置であるので、送信側移動機の利用者は、音声チャネルが確立されている間の通信料金を負担する必要がない。これにより、利用者は、受信側移動機にメッセージを送信する際には、このメッセージの量とは関係なく、一定の通信料金（例えば要求ショートメールの送信に必要となる通信料金）のみしか負担しなくてもよい。
【００６０】
さらには、本実施の形態によれば、利用者は、自己の移動機により送信された要求ショートメールを実際に受信したメッセージ通信装置からの発呼に基づいて、自己の移動機とメッセージ通信装置との間に音声チャネルを確立し、この音声チャネルを介して音声信号を送信する。これにより、利用者は、自己の意図したメッセージ通信装置との間でのみ確実に音声チャネルを確立することができるので、結果として、自己の意図した受信側移動機のみに対して、確実に音声信号を送信することができる。
【００６１】
（実施の形態２）
本実施の形態では、音声メッセージの送信を行う送信側通信端末装置が、メッセージ通信装置からの発呼を要求する旨の要求信号として、制御チャネルを介した発呼信号を用いる場合について説明する。
【００６２】
上述した実施の形態１では、送信側移動機が、音声メッセージの送信を開始するために、音声チャネルの確立を要求する旨の要求ショートメールを、制御チャネルを介してメッセージ通信装置に対して送信している。すなわち、送信側移動機は、通信相手に音声メッセージを送信するためには、ショートメールの送信を実現する構成を備えている必要がある。
【００６３】
したがって、音声通信を実現する構成を備えた通信端末装置であってショートメールの送信を実現する構成を備えていない通信端末装置（すなわち、例えば、固定電話機や、使い易さを目的としてショートメールの送受信機能を排除し音声通信機能のみを可能とした携帯電話機）は、ショートメールを送信することができないので、結果として音声メッセージを送信することもできない。
【００６４】
本発明者は、このような通信端末装置であっても、音声信号の送信に用いられる音声チャネルを確立する際に、制御チャネルを介して制御信号（発呼信号等）を送信できる点に着目した。さらに、本発明者は、このような通信端末装置は、自己の電話番号が含まれた発呼信号を、制御チャネルを介してメッセージ通信装置に送信し、この発呼信号がメッセージ通信装置に受信された後は、この発呼信号に基づいた音声チャネルの確立を実際には実行しないようにすれば、音声チャネルの確立に起因する通信料金を発生させることなく、メッセージ通信装置に自己の電話番号を通知できることを見い出した。この後、送信側移動機の電話番号を認識したメッセージ通信装置が、この電話番号が含まれた発呼信号を、制御チャネルを介して送信側移動機に対して送信することにより、メッセージ通信装置と送信側移動機との間に音声チャネルが確立される。
【００６５】
以下、本実施の形態に係る通信システムについて説明する。ここでは、図１において、送信側移動機１００に代えて送信側移動機６００が、メッセージ通信装置５００を介して受信側移動機１６０に対してメッセージを送信する場合を例にとり説明する。
【００６６】
＜メッセージ通信装置５００の構成＞
図５は、本発明の実施の形態２に係るメッセージ通信装置５００の構成を示すブロック図である。なお、図５において、図２に示したものと同様の構成要素については、図２におけるものと同一の符号を付して、詳細な説明を省略する。
【００６７】
本実施の形態に係るメッセージ通信装置５００は、図２に示した構成において、メールアドレス特定部５２０を設け、ショートメール処理部２１０を削除して電話番号抽出部５４０を設け、移動機通信部２００に代えて移動機通信部５１０を設け、音声信号処理部２２０に代えて音声信号処理部５３０を設けた構成を有する。
【００６８】
具体的には、移動機通信部５１０は、以下の構成を除き移動機通信部２００と同様の構成を有する。すなわち、移動機通信部５１０は、制御チャネルを介して、送信側移動機６００から発呼信号を受信して電話番号抽出部５４０に出力し、この電話番号抽出部５４０から送信側移動機６００の電話番号を取得する。また、移動機通信部５１０は、制御チャネルを介して、この電話番号が挿入された発呼信号を送信側移動機６００に送信することにより、送信側移動機６００との間で音声チャネルを確立する。さらに、移動機通信部５１０は、この音声チャネルを介して送信側移動機６００との間で音声信号の送受信を行い、受信した音声信号を音声信号処理部５３０に出力し、音声信号処理部５３０から取得した音声信号を、音声チャネルを介して送信側移動機６００に送信する。
【００６９】
電話番号抽出部５４０は、送信側移動機６００により送信された発呼信号を、移動機通信部５１０から取得し、この発呼信号から送信側移動機６００の電話番号を抽出して移動機通信部５１０に出力する。
【００７０】
音声信号処理部５３０は、音声信号処理部２２０（図２）に対して、音声信号分離部５３２及び音声生成部５３１を付加した構成を有する。音声信号分離部５３２は、移動機通信部５１０からの音声信号のうち、トーン信号をメールアドレス特定部５２０に出力し、音声メッセージに対応する音声信号を音声信号保存部２２２に出力する。なお、トーン信号とは、後述するように、送信側移動機６００に設けられたボタンが押圧された際に、送信側移動機６００により生成される音声信号であって、押圧されたボタンに固有の周波数帯域を有する音声信号である。
【００７１】
音声生成部５３１は、メールアドレス特定部５２１から文字データとして取得した電子メールアドレス（後述するように、送信側移動機６００の通信相手の電子メールアドレス）を、音声信号に変換して移動機通信部５１０に出力する。
【００７２】
メールアドレス特定部５２０は、メールアドレス記憶部５２１と、メールアドレス決定部５２２とを有する。メールアドレス記憶部５２１は、送信側移動機６００の通信相手の電子メールアドレスを記憶し、記憶した電子メールアドレスをメールアドレス特定部５２２及び音声信号処理部５３０に出力する。なお、このメールアドレス記憶部５２１に記憶された電子メールアドレスは、事前に、例えばインターネット網１４０及び外部通信部２４０を介して送信側移動機６００から取得される。
【００７３】
メールアドレス決定部５２２は、メールアドレス記憶部５２１に記憶された電子メールアドレスのうち、音声信号処理部５３０の音声信号分離部５３２からのトーン信号に対応する電子メールアドレスを、電子メールの受信者（受信側移動機１６０）の電子メールアドレスとして決定する。このメールアドレス決定部５２２は、このように決定した受信側移動機１６０の電子メールアドレスを電子メール処理部２３０に出力する。
【００７４】
＜送信側移動機６００の構成＞
図６は、本発明の実施の形態２に係る送信側移動機６００の構成を示すブロック図である。なお、図６において、図３に示したものと同様の構成要素については、図３におけるものと同一の符号を付して、詳細な説明を省略する。
本実施の形態に係る送信側移動機６００は、図３に示した構成において、ショートメール処理部３２０を削除し、電話番号記憶部６２０を設け、通信部３４０に代えて通信部６１０を設け、音声信号処理部３３０に代えて音声信号処理部６３０を設けた構成を有する。
【００７５】
具体的には、電話番号記憶部６２０は、要求信号（発呼信号）の受信者（すなわちメッセージ通信装置５００）を指定すべく用いられる電話番号（特番）を記憶する。この電話番号記憶部６２０は、この特番を通信部６１０に出力する。
【００７６】
通信部６１０は、以下の点を除いて通信部３４０（図３）と同様の構成を有する。すなわち、通信部６１０は、制御部３００の制御を受けて、電話番号記憶部６２０からの特番が含まれた発呼信号を、移動通信網１１０を介してメッセージ通信装置５００に送信することにより、メッセージ通信装置５００に対する発呼を行う。
【００７７】
音声処理部６３０は、音声処理部３３０（図３）において、トーン信号生成部６３３を付加し、送受信処理部３３２に代えて送受信処理部６３１を設けた構成を有する。
【００７８】
トーン信号生成部６３３は、操作入力部３１１により出力された操作信号を、制御部３００を介して取得し、取得した操作信号に対応したトーン信号を生成する。すなわち、トーン信号生成部６３３は、操作者により押圧されたボタンに固有の周波数帯域を有する音声信号（トーン信号）を生成する。このトーン信号生成部６３３は、生成したトーン信号を送受信処理部に出力する。
【００７９】
送受信処理部６３１は、以下の点を除いて送受信処理部３３２と同様の構成を有する。すなわち、送受信処理部６３１は、通信部６１０によりメッセージ通信装置５００との間で音声チャネルを介した通信が実行されている際に、制御部３００の制御を受けて、音声信号処理部３３１からの音声信号だけでなくトーン信号生成部６３３からのトーン信号を通信部６１０に出力する。
【００８０】
＜通信システムの動作＞
次に、上記構成を有するメッセージ通信装置５００及び送信側移動機６００により行われる通信について、図５及び図６に加えて図７を参照して説明する。図７は、本発明の実施の形態２に係るメッセージ通信装置と送信側移動機との間で行われる通信の様子を示すシーケンス図である。なお、図４において、図５又は図６で示したものと同様の構成要素に対しては、図５又は図６におけるものと同一の符号が付されている。また、実施の形態１において説明したものと同様の動作については、詳しい説明を省略する。
【００８１】
まず、図６において、受信側移動機１６０に対して音声メッセージの送信を希望する送信側移動機６００の操作者が、所定のボタン押圧操作を行うことにより、操作入力部３１１は、発呼信号（要求信号）の送信を要求する旨の操作信号を制御部３００に出力する。これにより、制御部３００は、通信部６１０に対して、発呼信号の送信を行う旨の制御信号を出力する。この結果、通信部６１０は、電話番号記憶部６２０から特番を取得し、この特番が含まれた発呼信号を、移動通信網１１０を介してメッセージ通信装置５００に送信する（図７におけるＳＴ７０１）。この発呼信号は、移動通信網１１０（すなわち、基地局、交換機１２０及び他の交換機）を介してメッセージ通信装置５００により受信される。
【００８２】
図５に示すメッセージ通信装置５００において、移動機通信部５１０は、送信側移動機１００からの発呼信号を電話番号抽出部５４０に出力する。電話番号抽出部５４０は、発呼信号から送信側移動機６００の電話番号を抽出して移動機通信部５１０に出力する（図７におけるＳＴ７０２）。
この時点において、メッセージ通信装置５００は、送信側移動機６００により送信された発呼信号の受信を完了していることから、送信側移動機６００の電話番号を取得できている。よって、この時点において、送信側移動機６００が発呼信号の送信を中止しても（すなわち、送信側移動機６００の利用者がメッセージ通信装置５００への発呼を中止する旨のボタン操作を実行しても）、以後の動作に不都合は生じない。
【００８３】
移動機通信部５１０は、この発呼信号に基づいた音声チャネルの確立（すなわち応答信号の送信）を実行しない（図７におけるＳＴ７０３）。これは、移動機通信部５１０が、この発呼信号に基づいて応答信号を送信して送信側移動機６００との間で音声チャネルを確立した場合には、送信側移動機６００の所有者が、この音声チャネルが確立されている間の通信料金を負担しなくてはならないからである。
【００８４】
移動機通信部５１０は、送信側移動機６００と交換機１２０との間で確立されている制御チャネルを含む移動通信網１１０を経由して、送信側移動機６００に対して発呼信号（送信側移動機６００の電話番号を含む）を送信する（図４におけるＳＴ７０４）。
【００８５】
図６に示す送信側移動機６００において、実施の形態１で説明したものと同様の動作がなされることにより、通信部６１０は、制御チャネルを介してメッセージ通信装置５００に対して応答信号を送信する（図７におけるＳＴ７０５）。
【００８６】
図５に示すメッセージ通信装置５００において、送信側移動機６００により送信された応答信号は、移動機通信部５１０により受信される。これにより、メッセージ通信装置５００と送信側移動機６００との間に音声チャネル（音声通信回線）が確立される（図７におけるＳＴ７０６）。
【００８７】
音声チャネルが確立されると、メールアドレス特定部５２０のメールアドレス記憶部５２１は、記憶している送信側移動機６００の通信相手の電子メールアドレスを、文字データとして音声信号処理部５３０の音声生成部５３１に出力する。
【００８８】
音声生成部５３１は、まず、メールアドレス記憶部５２１から電子メールアドレスの文字データを取得すると、各電子メールアドレスの文字データの先頭にその電子メールアドレスに固有の番号（以下「固有番号」という。）を付加した文字データを作成する。すなわち、音声生成部５３１は、メールアドレス記憶部５２１から、例えば、yansi@hogehoge.com、okano@salsa.net、yamada@taro.tvの３つの電子メールアドレスを取得した場合には、1 yansi@hogehoge.com、2 okano@salsa.net、3 yamada@taro.tvのように、「電子メールアドレスに固有の番号  電子メールアドレス」という文字データを、電子メールアドレスごとに作成する。次に、音声生成部５３１は、作成した文字データを音声信号に変換する。すなわち、音声生成部５３１は、「固有番号、電子メールアドレス」の順に、送信側移動機６００の通信相手の電子メールアドレスを順次読み上げた音声信号を作成する。この音声信号は、移動機通信部５１０に出力される。
【００８９】
移動機通信部５１０は、送信側移動機６００の操作者に対して、通信相手の電子メールアドレスに対応する固有番号の入力を促す旨の音声ガイダンス（例えば「以下に読み上げる電子メールアドレスのうち、受信者の電子メールアドレスとして指定したい電子メールアドレスに対応する固有番号を、押してください」を、音声生成部５３１からの音声信号とともに、音声チャネルを介して、送信側移動機６００に送信する（図７におけるＳＴ７０７）。
【００９０】
図６に示す送信側移動機６００において、メッセージ通信装置５００により送信された音声ガイダンスを含む音声信号は、通信部６１０により受信された後、送受信処理部６３１を経由して、音声出力部３３３により出力される。この音声ガイダンスを聞いた操作者は、この送信側移動機６００の筐体に設けられたボタンのうち、受信側移動機１６０の電子メールアドレスの固有番号に対応するボタ（例えば「１」ボタン）を押圧する。これにより、操作入力部３１１は、ボタン「１」が押圧された旨を示す操作信号を、制御部３００に出力する。
【００９１】
制御部３００は、操作入力部３１１からの操作信号を、音声処理部６３０のトーン信号生成部６３３に出力する。トーン信号生成部６３３は、操作者により押圧されたボタン（ここではボタン「１」）に固有の周波数帯域を有するトーン信号を生成して送受信処理部６３１に出力する。通信部６１０は、送受信処理部６３１からのトーン信号を、音声信号として音声チャネルを介して、メッセージ通信装置６００に送信する（図７におけるＳＴ７０８）。
【００９２】
図５に示すメッセージ通信装置５００において、送信側移動機６００により送信された音声信号（トーン信号）は、移動機通信部５１０により受信される。移動機通信部５１０は、受信した音声信号を音声信号分離部５３２に出力する。音声信号分離部５３２は、受信した音声信号はトーン信号であるので、このトーン信号を、メールアドレス特定部５２０のメールアドレス決定部５２２に出力する。
【００９３】
メールアドレス決定部５２２は、メールアドレス記憶部５２１に記憶された電子メールアドレスのうち、音声信号分離部５３２からのトーン信号（ここではボタン「１」に対応するトーン信号）に対応する電子メールアドレス（ここでは、yansi@hogehoge.com）を、送信側移動機６００により受信者として指定された通信相手（すなわち受信側移動機１６０）の電子メールアドレスとして決定する。なお、このメールアドレス決定部５２２における各電子メールアドレスに対応する番号と、音声信号処理部５３０の音声生成部５３１における固有番号とが一致していることはいうまでもない。このメールアドレス決定部５２２は、このように決定した受信側移動機１６０の電子メールアドレスを、電子メール処理部２３０の電子メール作成部２３１に出力する。
【００９４】
この後、移動機通信部５１０は、送信側移動機６００の操作者に対して音声メッセージの入力を促す旨の音声ガイダンス（例えば「発信音の後に、お伝えしたいメッセージをお話しください」等）を、音声チャネルを介して、送信側移動機６００に送信する（図７のＳＴ７０９）。
【００９５】
この後、上記実施の形態１と同様の処理が行われることにより、送信側移動機６００は、操作者の音声メッセージを、音声チャネルを介して、メッセージ通信装置５００に送信する（図７におけるＳＴ７１０）。
【００９６】
図５に示すメッセージ通信装置５００において、移動機通信部５１０は、受信した音声信号を音声信号分離部５３２に出力する。音声信号分離部５３２は、移動機通信部５１０からの音声信号がトーン信号ではなく音声メッセージに対応する音声信号であるので、この音声信号を音声信号保存部２２２に出力する。
【００９７】
この後、上記実施の形態１と同様の処理がなされることにより、音声チャネルが切断され（図７におけるＳＴ７１１）、音声ファイルが生成され（図７におけるＳＴ７１２）、音声ファイルを添付した電子メールの作成がなされ（図７におけるＳＴ７１３）、電子ファイルを添付した電子メールが、受信側移動機１６０に対して送信される（図７におけるＳＴ７１４）。
【００９８】
なお、本実施の形態では、送信側移動機６００として、押圧されたボタンに固有のトーン信号を生成する構成を有する送信側通信端末装置（例えば第１世代及び第２世代に属する携帯電話機や固定電話機）を用いた場合について説明した。しかしながら、本発明は、送信側移動機６００として、押圧されたボタンに固有のトーン信号ではなくディジタル信号を生成する構成を有する送信側通信端末装置（例えば第３世代に属する携帯電話機）を用いた場合にも適用可能なものである。この場合には、送信側通信端末装置により送信されたディジタル信号を受信した交換機が、このディジタル信号に基づいて、送信側通信端末装置により押圧されたボタンを特定し、特定されたボタンに対応するトーン信号を生成してメッセージ通信装置に送信すればよい。あるいは、交換機は、ディジタル信号をそのままメッセージ通信装置に送信し、メッセージ通信装置が、そのディジタル信号に基づいて、送信側通信端末装置により押圧されたボタンを特定すればよい。
【００９９】
以上のように、本実施の形態によれば、送信側通信端末装置が、音声チャネルの確立を要求すべく、この通信端末装置の電話番号を含めた発呼信号を、制御チャネルを介してメッセージ通信装置に送信した後、メッセージ通信装置は、この発呼信号に対して応答信号を送信側通信端末装置に送信するのではなく、送信側通信端末装置に対して、制御チャネルを介して発呼信号を送信することにより、送信側通信端末装置は、メッセージ通信装置との間で音声チャネルを確立し、音声チャネルに関する通信料金を負担することなく、この音声チャネルを介してメッセージ通信装置に対して音声メッセージを送信することができる。これにより、送信側通信端末装置は、ショートメールの送信を実現するための構成を有していなくとも、音声通信を実現する構成を有していれば、受信側通信端末装置に対して、音声メッセージを送信することができる。
【０１００】
なお、上述した各実施の形態において、メッセージ通信装置が、送信側移動機の電話番号とこの送信側移動機に付与された電子メールアドレスとを対応づけて記憶するデータベースを備えた構成を有するか、又は、このようなデータベースにアクセスする構成を有する場合には、メッセージ通信装置は、次のような動作をすることが可能である。すなわち、メッセージ通信装置は、要求ショートメール（実施の形態１）又は発呼信号（実施の形態２）から抽出した送信側移動機の電話番号を検索キーとして、上記データベースを検索することにより、送信側移動機に付与された電子メールアドレスを取得することができる。よって、メッセージ通信装置は、受信側移動機に送信する電子メールにおいて、送信者の電子メールアドレスとして送信側移動機の電子メールアドレスを指定することができる。あるいは、メッセージ通信装置は、受信側移動機に送信する電子メールの本文において、送信側移動機の電子メールアドレスを署名として含めることもできる。
【０１０１】
また、上述した各実施の形態において、メッセージ通信装置が、移動通信事業者の通信サービスに加入している加入者の電話番号と電子メールアドレスとを対応付けて記憶するデータベースを備えた構成を有するか、又は、このようなデータベースにアクセスする構成を有する場合には、次のような動作をすることも可能である。
まず第１に、送信側移動機が、音声メッセージの受信者の移動機に付与された「電話番号」が本文に記載された要求ショートメールを、メッセージ通信装置に対して送信した場合、メッセージ通信装置は、この受信者の電話番号を検索キーとして上記データベースを検索することにより、この受信者の移動機に付与された「電子メールアドレス」を取得することができる。これにより、メッセージ通信装置は、宛先において受信側移動機の「電子メールアドレス」を記載した電子メールであって音声ファイルを添付した電子メールを、受信側移動機に送信することができる。
第２に、送信側移動機が、音声メッセージの受信者の移動機に付与された「電子メールアドレス」が本文に記載された要求ショートメールを、メッセージ通信装置に対して送信した場合、メッセージ通信装置は、この受信者の電子メールアドレスを検索キーとして上記データベースを検索することにより、この受信者の移動機に付与された「電話番号」を取得することができる。これにより、メッセージ通信装置は、宛先において受信側移動機の電話番号を記載したＭＭＳ（Multimedia Messaging Service）であって音声ファイルを添付したＭＭＳを、受信側移動機に送信することができる。
【０１０２】
さらには、別の実施の形態として、送信側移動機は、音声メッセージの受信者の電話番号又は電子メールアドレスを登録する電話帳を備えている場合には、この電話帳に登録された受信者に対する要求ショートメールの送信を、利用者によるこの電話帳に対する操作を経由して実行することも可能である。具体的には、利用者が、電話帳から所望の受信者を検索した時点において所定の操作を行ったことを契機として、送信側移動機は、本文にその受信者の電子メールアドレス又は電話番号が記載された要求ショートメールを自動的に作成し、このように作成した要求ショートメールをメッセージ通信装置に送信するように、動作することも可能である。
【０１０３】
また、送信側移動機が、本文に「複数の」受信者の電子メールアドレス又は電話番号が記載された要求ショートメールを、メッセージ通信装置に送信した場合には、メッセージ通信装置は、その要求ショートメールから抽出した各電子メールアドレス又は各電話番号について、音声ファイルを添付した電子メールを作成して送信することも可能である。
【図面の簡単な説明】
【０１０４】
【図１】本発明の実施の形態１に係るメッセージ通信装置及び送信側移動機を含む通信システムの構成を示すブロック図
【図２】本発明の実施の形態１に係るメッセージ通信装置１３０の構成を示すブロック図
【図３】本発明の実施の形態１に係る送信側移動機１００の構成を示すブロック図
【図４】本発明の実施の形態１に係るメッセージ通信装置と送信側移動機との間で行われる通信の様子を示すシーケンス図
【図５】本発明の実施の形態２に係るメッセージ通信装置５００の構成を示すブロック図
【図６】本発明の実施の形態２に係る送信側移動機６００の構成を示すブロック図
【図７】本発明の実施の形態２に係るメッセージ通信装置と送信側移動機との間で行われる通信の様子を示すシーケンス図
【符号の説明】
【０１０５】
１００  送信側移動機
１１０  移動通信網
１２０  交換機
１３０  メッセージ通信装置
１４０  インターネット網
１５０  電子メールサーバ
１６０  受信側移動機
２００、５１０  移動機通信部
２１０  ショートメール処理部
２２０  音声信号処理部
２３０  電子メール処理部
２４０  外部通信部
３００  制御部
３１０  入力部
３２０  ショートメール処理部
３３０、６３０  音声処理部
３４０、６１０  通信部
５２０  メールアドレス特定部
５３０  音声信号処理部
５４０  電話番号抽出部
６２０  電話番号記憶部
【図１】
2007006301.tif 000003
【図２】
2007006301.tif 000004
【図３】
2007006301.tif 000005
【図４】
2007006301.tif 000006
【図５】
2007006301.tif 000007
【図６】
2007006301.tif 000008
【図７】
2007006301.tif 000009